(57)【要約】【課題】高振動で篩を駆動した場合において、篩網の目詰まりを防止し、支持網に溜まった粉をも排除する。【解決手段】ブラシ体１は、矩形の板材から構成された本体１１と、本体１１の片面に突出して形成された突出部１２とを備え、突出部１２は、本体１１の重心位置から外れた位置に頂点部１２１を有する。枠体の振動時には、頂点部１２１を支点として本体１１が揺動し、篩網２２に本体１１の端辺を当接させ、篩網２２を振動させることにより、篩網２２の目詰まりを抑制する。頂点部１２１は、支持網２３の網目に嵌り込み、支持網２３の粉落とし作用を発揮する。【選択図】図６
2005034689.tif 000002
【特許請求の範囲】
【請求項１】
枠部材の一方の側に設けられ、線材を縦横に編み上げて形成された支持網と、他方の側に設けられた篩網とを有し、枠部材を振動させることにより粉体を篩い分ける選別装置の、篩網と支持網の間に介挿されるブラシ体であって、
板状の本体と、該本体の支持網側の面に突出し支持網に当接する突出部を有し、
前記突出部の頂点部は、前記本体の重心位置から外れた位置に設けられている目詰まり防止用ブラシ体。
【請求項２】
本体は矩形の板材である請求項１に記載の目詰まり防止用ブラシ体。
【請求項３】
前記突出部は、直線状に連続して突出形成され、最も高い１つの頂点部と、頂点部から両端へ向けて高さが漸減する傾斜部とを有する請求項１又は２に記載の目詰まり防止用ブラシ体。
【請求項４】
前記頂点部と本体の重心との距離は、支持網の網目幅よりも小さく設定されている請求項１〜３のいずれか１に記載の目詰まり防止用ブラシ体。
【請求項５】
突出部は、三角形状に形成されている請求項３〜４のいずれか１に記載の目詰まり防止用ブラシ体。
【発明の詳細な説明】
【０００１】
【発明の属する技術分野】
この発明は、製粉装置の篩に装填され篩網の目詰まりを防止するブラシ体に係り、詳しくは、支持網の目詰まりをも抑制するブラシ体に関するものである。
【０００２】
【従来の技術】
従来、小麦粉等の製粉工場においては、多段式篩い分け選別機が用いられている。この選別機は、篩網が貼り付けられた枠体を上下方向に複数段収納した振動体を、駆動装置で振動させる構成であり、収納された枠体には、異なる大きさの網目を有する篩網が貼り付けられている。目詰まり防止用ブラシ体は、この篩網の網目の目詰まりを防止するために、各枠体内に装填されるものである。
枠体は、矩形の枠で構成され、その枠の一方の面に篩網が貼り付けられ、他方の面には、クリンプ網が装着されており、この篩網とクリンプ網の間に、目詰まり防止用ブラシ体が装填される。
【０００３】
このブラシ体の従来の構造は、図１４に示されているように、矩形又は三角形の板部材５１の片面に半球状の突起部５２を設けた構成である。図１５に示されているように、突起部５２は、クリンプ網６２に接触し、枠体の振動によって、ブラシ体５がクリンプ網６２上を移動すると、ブラシ体５の板部材５１の端が篩網６１の下側面に接触しながら移動し、この接触しながらの移動によって、篩網６１の目に詰まった粉が落とされる構造となっている。このようなブラシ体５の接触は、枠体内において、ブラシ体５の板部材５１が斜めに傾斜した状態（図１５における想像線）となることで、板部材５１の端が篩網６１の下面に到達でき、粉落としが可能となる。
このような従来の目詰り防止ブラシ体には、例えば、以下のような文献がある。
【０００４】
【特許文献１】
実開平０３−７０７８８号公報。
【０００５】
【特許文献２】
実開平０２−４８１８０号公報。
【０００６】
【発明が解決しようとする課題】
しかし、従来のブラシ体では、以下のような問題があった。
枠体の振動は、篩網の平面に沿って枠体を中心から偏心した位置を中心に回転させることにより、振動を与えるもので、垂直方向へ加えられる振動は少ない。ここで、駆動装置の回転を速くすると、ブラシ体５自体が突起部５２を中心にコマのように回転してしまい、図１５に示されているように、板部材５１が篩網６１に対して傾斜することなく平行な状態となってしまう。このため、振動のための駆動回転数を上げると、ブラシ体５が篩網６１に接触しなくなり、十分な目詰まり防止効果が得られない。また、駆動回転数を上げると、枠体の内側面にブラシ体が接触する回数が増加し、ブラシ体の衝突による枠体の損傷が激しく、枠体自体の寿命が短くなるといった問題があった。
【０００７】
さらに、支持網についても問題がある。支持網を構成する線材の交差部分に粉が溜まり、粉の溜まった部分が広がる。この粉溜まりによって、支持網の網目が小さく縮小し、振るい落とされた粉の回収効率が悪化する。支持網上に載せられるブラシ体は、突起部が球形であり、また支持網を構成する線材は特定ピッチで構成された波形であるため、突起部は支持網と点接触することとなり、縦横の線材の交差部分に接触して溜まった粉を落とすという作用は期待できない。
この発明の目的は、高回転数の回転運動で篩を駆動した場合に、篩網の目詰まりを防止でき、さらに支持網に溜まった粉をも排除できる目詰まり防止用ブラシ体を提供することにある。
【０００８】
【課題を解決するための手段】
以上のような目的は、以下の本発明によって達成される。
（１）  枠部材の一方の側に設けられ、線材を縦横に編み上げて形成された支持網と、他方の側に設けられた篩網とを有し、枠部材を振動させることにより粉体を篩い分ける選別装置の、篩網と支持網の間に介挿されるブラシ体であって、
板状の本体と、該本体の支持網側の面に突出し支持網に当接する突出部を有し、
前記突出部の頂点部は、前記本体の重心位置から外れた位置に設けられている目詰まり防止用ブラシ体。
【０００９】
（２）  本体は矩形の板材である上記（１）に記載の目詰まり防止用ブラシ体。
【００１０】
（３）  前記突出部は、直線状に連続して突出形成され、最も高い１つの頂点部と、頂点部から両端へ向けて高さが漸減する傾斜部とを有する上記（１）又は（２）に記載の目詰まり防止用ブラシ体。
【００１１】
（４）  前記頂点部と本体の重心との距離は、支持網の網目幅よりも小さく設定されている上記（１）〜（３）のいずれか１に記載の目詰まり防止用ブラシ体。
【００１２】
（５）  突出部は、三角形状に形成されている上記（３）〜（４）のいずれか１に記載の目詰まり防止用ブラシ体。
【００１３】
【発明の実施の形態】
以上のような目的を達成するための本発明は以下の構成を有する。図１は本発明の目詰まり防止用ブラシ体１が装填される枠体２を複数装填した選別機３の模式図であり、図２は枠体２の全体斜視図である。
図１に示されているように、本発明が使用される選別機３は、枠体２を上下方向に複数段収納する収納部３１と、収納部３１を振動駆動させる駆動装置３２とを備えている。枠体２は、枠部材２１と、枠部材２１の一方の側に張設された篩網２２と、他方の面に設けられた支持網２３とを備えており、選別機３に装填される枠体２の篩網２２は、上から下へ向かう順に、篩の目が細かくなるように構成されている。
【００１４】
図３に示されているように、この枠体２の支持網２３はクリンプ網で構成されている。クリンプ網は、同じピッチの波状に形成された線材を、縦材２３１と横材２３２として、距離ｌの間隔で、縦横に編み込んで形成されている。そして、縦材２３１と横材２３２の交差部分２３０は、それぞれの線材の山の部分と谷の部分が交差するように構成されており、図４に示されているように、一本の線材に注目すると、谷の部分２３１ａが交差すると、隣の交差部分は山の部分２３１ｂとなるように編み込まれており、網目はほぼ正方形となるように形成されている。このように構成されて支持網２３は、縦材２３１又は横材２３２の軸方向に沿って、支持網２３を横方向（網目の面に平行な方向）に見ると、前後に重なっている線材は、交互に山の部分と谷の部分が重なった状態に見える。しかし、線材に対して交差する方向に角度を変えて支持網２３を横方向に見てみると、図４に示されているように、山の部分と谷の部分が重なって、溝２３４が現れる。
【００１５】
一方、支持網２３と篩網２２の間には、目詰まり防止用ブラシ体１（以下、「ブラシ体」という）が介挿されている。図５は、ブラシ体１の正面図、図６は同じく側面図、図７は同じく底面図である。
図５乃至図７に示されているように、ブラシ体１は、矩形の板部材から構成された本体１１と、本体１１の支持網２３側の面に突出して形成された突出部１２とを備えている。本体１１は、相互に平行に対向する長辺部１１１、１１１と、同様に対向する短辺部１１２、１１２を備え、突出部１２は、長辺部１１１に沿って、平行な方向に連続して設けられ、図７に示されているように、本体１１の重心１１０に重なる位置に形成されている。突出部１２の両端は、長辺部１１１に直行する各短辺部１１２まで達している。本体１１の各長辺部１１１、１１１及び短辺部１１２、１１２は、篩網２２側の端辺１１１ａ、１１１ｂ、１１２ａ、１１２ｂにおいて、篩網２２に接触する。本体１１のこれらの端辺１１１ａ、１１１ｂ、１１２ａ、１１２ｂが、振動により篩網２２を叩き、その結果篩網が振動して篩目に詰まった粉が落とされ、目詰まり抑制作用が発揮される。
【００１６】
突出部１２は、図６に示されているように、側面視で山型（三角形状）に形成され、頂点部１２１と、頂点部１２１から両端へ向けて傾斜した傾斜部１２４、１２５とを有している。突出部１２の横断面形状は、矩形に形成され、頂点部１２１の高さが最も高く、両端へ向けて、高さは１次的に漸減する形状となっている。
傾斜部１２４、１２５は、長辺部１１１に平行な角辺１２２ａ、１２２ｂをそれぞれ有している。
【００１７】
図８及び図９は、本発明のブラシ体１が、支持網２３上に載置された状態の一例を示す、側面図及び底面図である。
頂点部１２１は、本体１１の重心１１０よりも所定距離ｅはなれた位置に設けられている。距離ｅの長さは、支持網２３の縦材、横材の各間隔ｌ（網目Ｓの１辺の長さ）よりも小さく設定される。距離ｅをこのような距離に設定することによって、図８に示されているように、支持網２３の網目Ｓに頂点部１２１が嵌り込んだ状態で、頂点部１２１に対して、支点（縦材２３１によって支持される点）が重心１１０の両側に位置することができ、本体１１を篩網２２に対して平行な状態とすることができる。この状態で、例えば枠体２から、Ｘ方向（図７）に往復動が加わると、図５に示されているように、突出部１２を中心として、本体１１が揺動し、長辺部１１１、１１１の端辺１１１ａ、１１１ｂが、篩網２２に当たることとなる。このように、Ｘ方向にブラシ体１が揺動する際、突出部１２の両側の角辺１２２、１２２の一方が支点となる。一対の角辺１２２、１２２の一方が支点となることで、中心線から外れた位置を支点として揺動することとなり、篩網２２に当接する側の長辺部１１１のストロークは長くなり、篩網２２に当たる際の衝撃がより強くなる。
【００１８】
また、同様の状態で、Ｙ方向（図７）に振動が加わると、図６に示されているように、本体１１の短辺部１１２の端辺１１２ｂが篩網２２に接触し、また、反対側の端辺１１２ａが篩網２２に接触する。頂点部１２１は、本体１１の重心１１０から外れているので、図６に示されているように、端辺１１２ｂの方が、端辺１１２ａよりも頻繁に篩網２２に接触し、かつ接触する際の衝撃も大きい。
【００１９】
このように、本体１１の周端が、篩網２２を下側に叩くことで、網目に詰まった粉を落とし、目詰まり防止効果が発揮される。特に、本体１１の周端に位置する端辺や角部の各部分が、異なる頻度で、かつ異なる強さで篩網２２に接触することとなるので、篩の目詰まりを防ぐ効果が倍増する。さらに、本体１１の重心１１０を外した位置に、頂点部１２１が位置するので、本体１１は、常時傾斜姿勢となり、篩網２２に対して平行な姿勢となることが抑制され、篩網２２に対して、本体１１のいずれかの部分が、篩網２２に常時当たることとなり、篩網２２に振動を与え続けることができる。
【００２０】
また、支持網２３の縦材２３１や横材２３２に対して、斜めに突出部１２が位置した場合には、図６に示されているように、頂点部１２１が支持網２３に当接し、角辺１２２ａが支持網２３の溝２３４に嵌り込み、支持網２３の上に溜まった粉の除去を行う。また、角辺１２２ａ、１２２ｂは、交差部分２３０の粉の溜まっている部分にも嵌り込み、溜まった粉の排除が容易となる。この発明は、頂点部１２１が網目Ｓに嵌り込むと、網目Ｓの内部に頂点部１２１が入り込むので、従来のような球状の突出部に比較して、支持網２３に溜まった粉の排除効率が良好となる。また、頂点部１２１の角度（傾斜部１２３と１２４の成す角）は、鈍角に形成されているのため、振動によって、容易に頂点部１２１は網目Ｓから離脱することができ、ブラシ体１は、枠体２内を容易に移動して、均一に篩網２２に接触することができる。
【００２１】
頂点部１２１は、本体１１の重心１１０から外れた位置に設けられているので、図６に示されているように、一方の短辺部１１２の端辺１１２ｂが篩網２２に当たる姿勢に復帰するため、頂点部１２１を中心に回転し、本体１１が篩網２２に接触しないといった状態は、回避される。端辺１１２ｂが篩網２２に当接した状態でブラシ体１が移動した場合には、端辺１１２ｂによって、篩網２２に詰まった粉を削ぎ落とす作用も得られる。
この実施形態では、突出部１２と本体１１は同一の材料で一体に形成されている。例えば、合成樹脂で構成され、射出成形によって一体形成された構成としてもよい。
【００２２】
図１０及び図１１は、ブラシ体の他の実施形態を示すもので、図１０は、ブラシ体１Ａの側面図、図１１は、同じく底面図である。この実施形態のブラシ体１Ａは、突出部１２Ａが、本体１１の対角線方向に連続して形成されている。頂点部１２１Ａは、本体１１の重心（対角線の交点）を外して設けられており、重心と頂点部１２１Ａとの距離は、支持網２３の網目Ｓの一辺の長さ（網目幅）よりも短く構成されている。
この実施形態のブラシ体１Ａによる突出部１２Ａの支持網２３に対する作用効果は、既述の実施形態のブラシ体１と同様であるので、説明を省略する。
【００２３】
この実施形態のブラシ体１Ａでは、本体１１の角部１１３ａ、１１３ｂ、１１３ｃ、１１３ｄが、ブラシ体１Ａの動きによって、篩網２２に当たり、篩網２２の目に詰まった粉を振るい落とす。最も上下動のある角部１１３ｃ、１１３ｄは、頂点部１２１Ａに対する位置が異なるので、篩網２２へ伝える衝撃も異なり、４つの角部１１３ａ、１１３ｂ、１１３ｃ、１１３ｄはそれぞれ異なる強度で篩網２２へ当たることとなる。このため、篩網２２には、異なる強度で振動が加わり、網目に詰まった粉を振るいとおす効果が倍増する。
【００２４】
図１２は、他の実施形態のブラシ体１Ｂの構成を示す側面図である。このブラシ体１Ｂの特徴は、図５〜図７に示されている実施形態のブラシ体１において、突出部１２の形状が鈍角三角形状でなく、円弧形状となっている点である。他の部分は、前記ブラシ体１と同様であるので、説明を省略する。
【００２５】
突出部１２Ｂは、本体１１と平行な面が突出部１２に接触する点が頂点部１２１Ｂ、その両側に突出部１２Ｂの高さ漸減するように形成された傾斜部１２４Ｂ、１２５Ｂを有している。傾斜部部１２４Ｂ、１２５Ｂは、側面視で円弧状に形成されている。突出部１２Ｂが円弧状に突出しているため、支持網２３上に載置された場合、支持網２３に当接し得る範囲が広くなる。即ち、突出部１２Ｂは、傾斜部１２５Ｂよりの位置で、支持網２３に当接することができ、傾斜部１２４Ｂ側の短辺部１１２が篩網２２に当たる頻度が高くなる。このため、上記図５〜図７に記載のブラシ体１に比較して、本体１１の短辺部１１２、１１２が篩網２２に当たる機会が増加する。また、篩網２２に対して、本体１１が平行となる姿勢を取り易くなり、図５に示されているように、長辺部１１１が篩網２２に当たる頻度も増加する。
以上３つ実施形態で示したように、突出部１２の形状や配置位置を変更することによって、本体１１が篩網２２に作用する態様を変更することができる。
【００２６】
図１３は、突出部を半球形状とした実施形態のブラシ体１Ｃの全体斜視図である。本体１１の支持網２３側の面には、半球状の突出部１３が設けられ、その頂点部１３１は、本体１１の重心位置から外れた位置となるように、突出部１３が設けられている。このような構成とすることによっても、本体１１の四つの角部は、異なる強度で篩網２２に当たる点で、図１０、図１１に示されたブラシ体１Ａと同様な作用効果を発揮する。
以上説明した実施形態の他、板状の本体は、矩形に限らず、他の多角形や円形であっても同様の効果が発揮される。
【００２７】
【発明の効果】
請求項１に記載の発明によれば、突出部の頂点部が本体の重心位置から外れた位置に設けられているので、本体は傾斜姿勢を取り、本体のいずれかの場所が篩網に常時接触した状態を維持できる。このため、枠体の振動によって本体姿勢が水平に保たれていることがなく、目詰まりを除去する作用が維持される。また、振動によって本体各部が篩網に接触する衝撃や、接触する態様が変化するので、同じ強さの衝撃で篩網を振動させる場合に比べて、目詰まりを除去する効果が倍増する。
【００２８】
請求項２に記載の発明によれば、本体を矩形の板材とすることによって、加工効率が向上する。また、回転体形状ではないため、振動によって篩網に当たる衝撃が、長辺部と短辺部、４つの角部で異なり、異なる衝撃が不規則に篩網に加えられることにより、目詰まり抑制効果が向上する。
請求項３に記載の発明によれば、突出部を直線状に形成することによって、支持網とブラシ体との接触抵抗を上げ、枠体内でのブラシ体の移動速度を抑制することができる。これにより、枠部材へのブラシ体の反復衝突による、枠部材の損傷を抑制できる。また、突出部の横断面形状の先端部分に角ある場合には、直線状に形成された突出部の角辺によって、支持網に溜まった粉の排除作用も発揮される。
【００２９】
請求項４に記載の発明によれば、頂点部と本体の重心との距離が、支持網の網目幅よりも小さく設定されているので、ブラシ体は、多様な姿勢を取ることができ、篩網に当たる部位や衝撃度を多様にし、目詰まり抑制効果を向上させることができる。
請求項５に記載の発明によれば、突出部は、三角形状に形成されているので、直交する２方向（ＸＹ方向）にブラシ体が揺動することができ、篩網に当たる部位や衝撃度を多様にし、目詰まり抑制効果を向上させることができる。
【図面の簡単な説明】
【図１】本発明の目詰まり防止用ブラシ体が装填される枠体を複数装填した選別機の模式図である。
【図２】本発明の目詰まり防止用ブラシ体が装填される枠体の全体斜視図である。
【図３】支持網の全体斜視図である。
【図４】支持網の側面視図である。
【図５】本発明の目詰まり防止用ブラシ体の正面図である。
【図６】同じく側面図である。
【図７】同じく底面図である。
【図８】支持網に載置された目詰まり防止用ブラシ体の状態を示す側面図である。
【図９】支持網に載置された目詰まり防止用ブラシ体の状態を示す底面図である。
【図１０】他の実施形態の目詰まり防止用ブラシ体を示す側面図である。
【図１１】他の実施形態の目詰まり防止用ブラシ体を示す底面図である。
【図１２】他の実施形態の目詰まり防止用ブラシ体を示す側面図である。
【図１３】他の実施形態の目詰まり防止用ブラシ体を示す斜視図である。
【図１４】従来のブラシ体の構造を示す全体斜視図である。
【図１５】従来のブラシ体の枠体内での姿勢を示す、枠体の部分断面図である。
【符号の説明】
１  目詰まり防止用ブラシ体
１１  本体
１１０  重心
１１１  長辺部
１１２  短辺部
１２  突出部
１２１  頂点部
１２４  傾斜部
１２５  傾斜部
２  枠体
２１  枠部材
２２  篩網
２３  支持網
２３１  縦材
２３２  横材
２３４  溝
３  選別機
【図１】
2005034689.tif 000003
【図２】
2005034689.tif 000004
【図３】
2005034689.tif 000005
【図４】
2005034689.tif 000006
【図５】
2005034689.tif 000007
【図６】
2005034689.tif 000008
【図７】
2005034689.tif 000009
【図８】
2005034689.tif 000010
【図９】
2005034689.tif 000011
【図１０】
2005034689.tif 000012
【図１１】
2005034689.tif 000013
【図１２】
2005034689.tif 000014
【図１３】
2005034689.tif 000015
【図１４】
2005034689.tif 000016
【図１５】
2005034689.tif 000017